(57)【要約】【課題】  遊技の際の操作性を向上させる。【解決手段】  操作ハンドル８を、ハンドルベース２６、リングホルダ２７、フェイスカバー２８から構成する。下扉枠６の揺動孔６ｂの内側に、回動自在に支持ベース４６を取り付ける。ハンドルベース２６を、支持ベース４６に取り付ける。揺動孔６ｂの下側面に、ロックスイッチ４８を取り付ける。操作ハンドル８をコイルバネ４９により解除位置に付勢する。ＣＰＵ１５ａは、発射装置１７を駆動して、リングホルダ２７の回動量に応じた打ち出し強さでパチンコ球７を遊技盤４面上に打ち出す。操作ハンドル８を揺動してロックスイッチ４８を押圧すると、ＣＰＵ１５ａは、ソレノイド３３の本体部３３ａを通電し、通電された本体部３３ａは、駆動鉄芯３３ｃを移動する。移動した駆動鉄芯３３ｃは、固定板３７に接触する。これにより、リングホルダ２７を回動不能に固定する。【選択図】        図１３
2005125005.tif 000002
【特許請求の範囲】
【請求項１】
遊技領域に向けて遊技媒体を打ち出す発射装置と、
変位が可能であって非変位状態である基準位置から変位した量に応じて前記発射装置による前記遊技媒体の打ち出し強さを調整する打出調整部、前記打出調整部を前記基準位置に向けて付勢する打出付勢部及び前記打出調整部を変位した位置で固定する駆動可能な位置固定部を有し、前記発射装置に前記遊技媒体を打ち出させる発射作動装置と、
前記発射作動装置を変位可能に支持する支持部と、
前記位置固定部の駆動を制御する制御手段と、
前記発射作動装置の変位に応じて前記制御手段による制御を開始させる制御開始操作手段とを備えたことを特徴とする弾球遊技機。
【請求項２】
前記発射作動装置は、前記制御開始操作手段を操作して前記制御手段による制御を開始させる操作位置と前記制御手段による制御を解除させる解除位置との間で変位可能に設けられ、前記支持部は、前記発射作動装置を前記解除位置に向けて付勢する作動付勢部を備えたことを特徴とする請求項１記載の弾球遊技機。
【請求項３】
前記位置固定部は、前記打出調整部に設けられた固定部材に接触する接触位置と前記固定部材との接触を解除する解除位置との間で移動する移動部材と、前記移動部材を駆動する移動駆動部とを備えたことを特徴とする請求項１または２記載の弾球遊技機。
【請求項４】
前記打出調整部には磁性体からなる磁性部材が設けられ、前記位置固定部は、磁気化して前記磁性部材を保持する磁気化状態と非磁気化して前記磁性部材の保持を解除する非磁気化状態とに変化する磁気部を備えたことを特徴とする請求項１または２記載の弾球遊技機。
【請求項５】
前記打出調整部は当該打出調整部に設けられた固定軸を中心に回動可能であり、前記位置固定部は、前記固定軸を回動可能に保持するとともに、前記固定軸を加圧して当該固定軸の回動を阻止する加圧位置と前記固定軸への加圧を解除する解除位置との間で変位する加圧部材と、前記加圧部材を駆動する加圧駆動部とを備えたことを特徴とする請求項１または２記載の弾球遊技機。
【請求項６】
前記打出調整部の変位に応じて回動する第１ギアと前記第１ギアに噛合する第２ギアとを有し、前記打出調整部の変位を前記発射装置に伝える伝達部を備え、前記位置固定部は、前記第２ギアの軸を回動可能に保持するとともに、前記第２ギアの歯を前記第１ギアの歯に押し付ける方向に前記第２ギアを移動させる移動押付部を備えたことを特徴とする請求項１または２記載の弾球遊技機。
【発明の詳細な説明】
【技術分野】
【０００１】
本発明は、パチンコ店等の遊技場に設置して使用されるパチンコ機等の弾球遊技機に関するものである。
【背景技術】
【０００２】
現在、遊技場に設置されるパチンコ機には、前面に操作ハンドルが設けられている。この操作ハンドルには、リングホルダが回動可能に設けられており、このリングホルダを回動させると、その回動が伝達部を介して球発射装置に伝わり、球発射装置によりパチンコ球が遊技領域に打ち出される。遊技を行う際には、遊技者は、一方の手でリングホルダを所定量回動させて、パチンコ球を遊技領域へ打ち出している。このリングホルダは、その回動量に比例してパチンコ球の打ち出し強さが変化するようになっている。このため、遊技者は、意図する打ち出し強さとなるようにリングホルダの回動量を調整している。
【発明の開示】
【発明が解決しようとする課題】
【０００３】
しかしながら、この操作ハンドルの場合、リングホルダは、パチンコ球が打ち出されない状態である基準位置へ戻る方向にバネによって付勢されている。このため、意図する打ち出し強さを維持するために、回動させたリングホルダをバネの付勢力に抗して一定の位置に保持することは、特に長時間遊技を行う遊技者にとっては、手に負担がかかるものとなる。この場合、例えば一旦リングホルダから手を離した後に遊技を再開するということが考えられるが、一旦リングホルダを離すと、リングホルダは、球発射装置によりパチンコ球が打ち出されない状態である基準位置に戻ってしまうため、再度リングホルダを回動させて打ち出し強さを調整する必要があり、遊技の際の操作性が悪かった。
【０００４】
本発明は、上記課題を解決するためになされたものであり、遊技の際の操作性を向上させることができる弾球遊技機を提供することを目的とする。
【課題を解決するための手段】
【０００５】
上記目的を達成するために、本発明の弾球遊技機は、遊技領域に向けて遊技媒体を打ち出す発射装置と、変位が可能であって非変位状態である基準位置から変位した量に応じて前記発射装置による前記遊技媒体の打ち出し強さを調整する打出調整部、前記打出調整部を前記基準位置に向けて付勢する打出付勢部及び前記打出調整部を変位した位置で固定する駆動可能な位置固定部を有し、前記発射装置に前記遊技媒体を打ち出させる発射作動装置と、前記発射作動装置を変位可能に支持する支持部と、前記位置固定部の駆動を制御する制御手段と、前記発射作動装置の変位に応じて前記制御手段による制御を開始させる制御開始操作手段とを備えたことを特徴とする。
【０００６】
なお、前記発射作動装置は、前記制御開始操作手段を操作して前記制御手段による制御を開始させる操作位置と前記制御手段による制御を解除させる解除位置との間で変位可能に設けられ、前記支持部は、前記発射作動装置を前記解除位置に向けて付勢する作動付勢部を備えることが好ましい。
【０００７】
また、前記位置固定部は、前記打出調整部に設けられた固定部材に接触する接触位置と前記固定部材との接触を解除する解除位置との間で移動する移動部材と、前記移動部材を駆動する移動駆動部とを備えること、または、前記打出調整部には磁性体からなる磁性部材が設けられ、前記位置固定部は、磁気化して前記磁性部材を保持する磁気化状態と非磁気化して前記磁性部材の保持を解除する非磁気化状態とに変化する磁気部を備えること、または、前記打出調整部は当該打出調整部に設けられた固定軸を中心に回動可能であり、前記位置固定部は、前記固定軸を回動可能に保持するとともに、前記固定軸を加圧して当該固定軸の回動を阻止する加圧位置と前記固定軸部への加圧を解除する解除位置との間で変位する加圧部材と、前記加圧部材を駆動する加圧駆動部とを備えること、または、前記打出調整部の変位に応じて回動する第１ギアと前記第１ギアに噛合する第２ギアとを有し、前記打出調整部の変位を前記発射装置に伝える伝達部を備え、前記位置固定部は、前記第２ギアの軸を回動可能に保持するとともに、前記第２ギアの歯を前記第１ギアの歯に押し付ける方向に前記第２ギアを移動させる移動押付部を備えることが好ましい。
【発明の効果】
【０００８】
本発明の弾球遊技機によれば、遊技領域に向けて遊技媒体を打ち出す発射装置と、変位が可能であって非変位状態である基準位置から変位した量に応じて発射装置による遊技媒体の打ち出し強さを調整する打出調整部、打出調整部を基準位置に向けて付勢する打出付勢部及び打出調整部を変位した位置で固定する駆動可能な位置固定部を有し、発射装置に遊技媒体を打ち出させる発射作動装置と、発射作動装置を変位可能に支持する支持部と、位置固定部の駆動を制御する制御手段と、発射作動装置の変位に応じて前記制御手段による制御を開始させる制御開始操作手段とを備えたから、発射作動装置を変位して、制御開始操作手段により発射作動装置の変位を検知して、発射作動装置の変位を検知したことを契機に制御手段により位置固定部の駆動を制御すると、打出調整部を基準位置に向けて付勢する付勢部の付勢に抗して、打出調整部を変位した位置で固定することができるため、遊技者は、意図する打ち出し強さのときに、発射作動装置を変位して打出調整部を固定することにより、打出調整部を基準位置に向けて付勢する付勢部の付勢に抗して打出調整部の位置を維持する力を要せずに、意図する打ち出し強さを維持して遊技媒体を遊技領域に打ち出すことができるから、遊技者の手にかかる負担を軽減することができ、遊技の際の操作性を向上させることができる。
【０００９】
また、発射作動装置は、制御開始操作手段を操作して制御手段による制御を開始させる操作位置と制御手段による制御を解除させる解除位置との間で変位可能に設けられ、支持部は、発射作動装置を解除位置に向けて付勢する作動付勢部を備えたから、発射作動装置は、通常時には作動付勢部の付勢により解除位置に位置するため、遊技者が発射作動装置を操作位置に移動しない限り、発射作動装置を解除位置に位置することができる。
【００１０】
さらに、位置固定部は、打出調整部に設けられた固定部材に接触する接触位置と固定部材との接触を解除する解除位置との間で移動する移動部材と、移動部材を駆動する移動駆動部とを備えたから、移動駆動部により移動部材を移動して、移動部材を固定部材に接触させるだけで、打出調整部を基準位置に向けて付勢する付勢部の付勢に抗して、移動部材と固定部材との接触抵抗により打出調整部を変位した位置で固定することができるため、構成が簡単であり、製造コストの低減を図ることができる。
【００１１】
さらに、打出調整部には磁性体からなる磁性部材が設けられ、位置固定部は、磁気化して磁性部材を保持する磁気化状態と非磁気化して磁性部材の保持を解除する非磁気化状態とに変化する磁気部を備えたから、磁気部材を磁気化して磁性部材を保持するだけで、打出調整部を基準位置に向けて付勢する付勢部の付勢に抗して、打出調整部を変位した位置で固定することができるため、容易に打出調整部を固定することができる。
【００１２】
また、打出調整部は当該打出調整部に設けられた固定軸を中心に回動可能であり、位置固定部は、固定軸を回動可能に保持するとともに、固定軸を加圧して当該固定軸の回動を阻止する加圧位置と固定軸への加圧を解除する解除位置との間で変位する加圧部材と、加圧部材を駆動する加圧駆動部とを備えたから、加圧駆動部により加圧部材を加圧位置に変位して、加圧部材により打出調整部に設けられた固定軸を加圧して固定軸部の回動を阻止するだけで、打出調整部を基準位置に向けて付勢する付勢部の付勢に抗して、打出調整部を変位した位置で固定することができるため、打出調整部とは離れた位置で打出調整部の固定作業を行うことができ、打出調整部と打出調整部を取り付ける部材との間にスペースがない場合にも対応することができる。
【００１３】
さらに、打出調整部の変位に応じて回動する第１ギアと第１ギアに噛合する第２ギアとを有し、打出調整部の変位を発射装置に伝える伝達部を備え、位置固定部は、第２ギアの軸を回動可能に保持するとともに、第２ギアの歯を第１ギアの歯に押し付ける方向に第２ギアを移動させる移動押付部を備えたから、移動押付部を第２ギアの歯を第１ギアの歯に押し付ける方向に移動して、第１ギアの歯に第２ギアの歯を押し付けて第１ギアを回動不能にするだけで、打出調整部を基準位置に向けて付勢する付勢部の付勢に抗して、打出調整部を固定することができるため、打出調整部の変位を発射装置に伝える伝達部の第１ギア及び第２ギアを、打出調整部を固定する際に利用することができ、部品数の低減及び製造コストの低減を図ることができる。
【発明を実施するための最良の形態】
【００１４】
図１に本発明を用いた弾球遊技機の１実施例であるパチンコ機の外観を示す。パチンコ機２の本体基部となる本体枠３の内部には遊技盤４が配設されており、遊技盤４の前面には前面枠５が本体枠３に対して開閉自在に設けられている。前面枠５の下方には下扉枠６が設けられている。下扉枠６には、打球供給用の供給皿６ａが形成され、パチンコ球（遊技媒体）７の打ち出し強さを調節する操作ハンドル（発射作動装置）８が設けられている。遊技盤４のパチンコ球７が打ち出される遊技領域４ａの略中央には、予め定められた入賞口へパチンコ球を入賞させるなどの所定入賞条件に基づいて遊技中に様々な図柄を液晶画面に所定時間内において変動表示させた後に停止表示させる図柄可変表示装置９が配置され、その周りには始動入賞口１０、通常入賞口１１、アタッカ１２、アウト口１３が設けられている。各入賞口１０〜１２内には、各入賞口１０〜１２に入ったパチンコ球７を検知する入賞球検知センサ１４（図１４参照）が設けられている。遊技者は、供給皿６ａにパチンコ球７を投入してパチンコ球７を供給皿６ａ内に設けられた誘導路を介して後述する球発射装置（発射装置）１７へと導き、回動式の操作ハンドル８を所定量回動して球発射装置１７の駆動を制御することで、遊技盤４の遊技領域４ａの上方に向けてパチンコ球７を打ち出す。打ち出されたパチンコ球７は遊技領域４ａの上方から流下する途中で各入賞口１０〜１２のいずれかに入るか、あるいはアウト口１３から回収される。なお、パチンコ機２の遊技領域４ａに設けられている複数の釘、風車などの構造物は公知であるので説明は省略する。
【００１５】
なお、前面枠５が閉じているロック状態であるときには、遊技者や遊技場の作業者は、前面枠５に板状のガラスが装着されて形成されたガラス窓１９を通して遊技盤４の遊技領域４ａを流下していく遊技球を見ることはできるが、遊技盤４にはもちろんのこと本体枠３の内部にも触れることができないようになっている。
【００１６】
図２にパチンコ機の背面側の外観を示す。パチンコ機２の本体枠３には、本体枠３の内部に設けられた支持部材を介して、遊技を行う際に後述する音声発生装置２１等の各種装置を作動させるための主制御を行う主制御回路装置（主制御回路基板）１５の他に、副制御回路装置（副制御回路基板）１６、球発射装置１７、球払出装置１８等がそれぞれ組み付けられている。これら制御回路装置及び装置は、図示しないケーブル等を介して電気的に接続されている。また、本体枠３の内部にはスピーカーなどの音声発生装置２１（図１４参照）や、本体枠３及び遊技盤４上の様々な位置にランプ２２（図１４参照）が設けられており、音声発生装置２１から演出効果を持たせた音声を発生させたり、ランプ２２の点灯制御によって演出効果を出すといったことを行う。
【００１７】
図３及び図４に示すように、操作ハンドル８は、ハンドルベース２６、リングホルダ（打出調整部）２７、フェイスカバー２８から構成され、詳しくは後述するように、ハンドルベース２６とフェイスカバー２８とは、リングホルダ２７を回動自在に挟み込んだ状態で固定されている。図１に示すように、下扉枠６の右側部には、操作ハンドル８を上下に揺動可能にするための長孔状の揺動孔６ｂが形成されており、ハンドルベース２６は、後述する軸部２６ｂが揺動孔６ｂに挿通され、下扉枠６の内部に設けられた後述する支持ベース４６に取り付けられる。
【００１８】
図５及び図６に示すように、ハンドルベース２６は、有底円筒状の本体部２６ａとこの本体部２６ａの底面の外側面に一体に形成された円筒状の軸部２６ｂとからなり、本体部２６ａの内部には、打出強さ調整用ボリューム３０、第１調整ギア（第１ギア）３１、第２調整ギア（第２ギア）３２、ソレノイド（位置固定部）３３が取り付けられる。打出強さ調整用ボリューム３０、第１調整ギア３１、第２調整ギア３２は、リングホルダ２７の回動を球発射装置１７に伝える回動伝達部（伝達部）３４の一部を構成する。本体部２６ａの内部には、フェイスカバー２８を取り付けるための円筒状の第１〜第３カバー取付ボス２６ｃ〜２６ｅ、後述するねじりバネ（打出付勢部）３９の第１腕部３９ｂの先端部を固定するための円柱状のバネ固定ボス２６ｆ、後述する第１調整ギア３１の挿入部３１ｂを挿入するための第１取付孔２６ｇ、後述する打出強さ調整用ボリューム３０の軸３０ｃ及びネジ部３０ｂを挿通するためのボリューム挿通孔２６ｈ、ソレノイド３３を取り付けるためのソレノイド取付孔２６ｉが形成されている。ソレノイド取付孔２６ｉは２個形成されている。第１〜第３カバー取付ボス２６ｃ〜２６ｅには、それぞれフェイスカバー２８の第１〜第３ベース取付ボス２８ａ〜２８ｃを挿入するための位置決め凹部２６ｊが形成され、位置決め凹部２６ｊの底面部にはフェイスカバー２８を取り付けるためのカバー取付孔２６ｋが形成されている。バネ固定ボス２６ｆには、ねじりバネ３９の第１腕部３９ｂの先端部を固定するためのバネ固定孔２６ｌと、ねじりバネ３９の第１腕部３９ｂの回転を防止するための凸状の回転防止凸部２６ｍとが形成されている。
【００１９】
打出強さ調整用ボリューム３０は、板状のベース３０ａと、ネジ切りされたネジ部３０ｂと、円柱状の軸３０ｃとからなり、軸３０ｃはベース３０ａに回動可能に設けられている。ベース３０ａは、その幅がハンドルベース２６のボリューム挿通孔２６ｈの径よりも大きい形状で形成されており、このベース３０ａによりボリューム挿通孔２６ｈに軸３０ｃ及びネジ部３０ｂを挿通した後に抜けなくしている。ボリューム挿通孔２６ｈにハンドルベース２６の裏側（図３中右側）から軸３０ｃ及びネジ部３０ｂを挿通させ、ネジ部３０ｂにナット３６をハンドルベース２６の表側から締め付けると、打出強さ調整用ボリューム３０は、ハンドルベース２６に固定される（図３参照）。軸３０ｃは後端部側が円形状に形成され、略中心部でその形状が変わり、先端部側は略Ｄ字形状に形成されている。
【００２０】
第２調整ギア３２には、軸３０ｃを挿入するための凹状の挿入凹部３２ａが形成されており、この挿入凹部３２ａは、第２調整ギア３２を回動する際の回動中心となる。挿入凹部３２ａは、入口部側は円形状に形成され、略中心部でその形状が変わり、底面部側は略Ｄ字形状に形成されている。ハンドルベース２６に固定された打出強さ調整用ボリューム３０の軸３０ｃに第２調整ギア３２の挿入凹部３２ａを挿入する。軸３０ｃと挿入凹部３２ａとの略Ｄ字形状部同士を位置合わせして軸３０ｃの先端部に挿入凹部３２ａを挿入することにより、第２調整ギア３２と打出強さ調整用ボリューム３０とが位置決めされるとともに、第２調整ギア３２は打出強さ調整用ボリューム３０に固定され、第２調整ギア３２の回動により、打出強さ調整用ボリューム３０の軸３０ｃが回動される状態となる。打出強さ調整用ボリューム３０は、後述する主制御回路装置１５内の回動量演算部５４に接続されている（図１４参照）。打出強さ調整用ボリューム３０は、軸３０ｃの回動量に応じた回動量信号を回動量演算部５４に送る。
【００２１】
第１調整ギア３１には、後述する接触検知ワイヤ４２を挿通するための挿通孔３１ａが形成され、後端部にはハンドルベース２６の第１取付孔２６ｇに挿入するための円筒状の挿入部３１ｂが、先端部には後述するリングホルダ２７の係合孔２７ｈに挿入するための円柱状の係合ボス３１ｃがそれぞれ形成されている。挿通孔３１ａは、第１調整ギア３１を回動する際の回動中心となり、係合ボス３１ｃは、挿通孔３１ａを中心に１８０°の間隔で２個形成されている。挿入部３１ｂをハンドルベース２６の第１取付孔２６ｇに挿入すると、第１調整ギア３１と第２調整ギア３２とが噛合した状態となる。第１調整ギア３１と第２調整ギア３２とは、それぞれ略１８０°の範囲で複数のギアの歯が形成されており、挿入部３１ｂを第１取付孔２６ｇに挿入して、第１調整ギア３１と第２調整ギア３２とを噛合するときに、複数のギアの歯のどのギアの歯を噛合するかにより、第１調整ギア３１及び第２調整ギア３２の回動可能な角度が変化する。そこで、第１調整ギア３１を回動したときに、第１調整ギア３１のギアの歯が最も大きな回動角度の範囲で第２調整ギア３２のギアの歯と噛合するように、第１調整ギア３１と第２調整ギア３２とを位置合わせした状態で噛合する。そして、噛合した状態で、図６に示すように、第１調整ギア３１を反時計方向に第２調整ギア３２と噛合する最端部まで回動する。第１調整ギア３１と第２調整ギア３２とがこの位置のときに、係合ボス３１ｃを後述するリングホルダ２７の係合孔２７ｈに挿入すると、リングホルダ２７は基準位置（図１０（Ａ）参照）に位置されるとともに、このときの打出強さ調整用ボリューム３０の軸３０ｃの回動位置が基準回動位置（回動量＝ゼロ）とされる。
【００２２】
ソレノイド（位置固定部）３３は、円筒状の本体部（移動駆動部）３３ａと、この本体部３３ａの底部に一体に形成された楕円板状のベース部３３ｂとからなり、本体部３３ａの内部には駆動鉄芯（移動部材）３３ｃが移動可能に設けられている。本体部３３ａは、後述する主制御回路装置１５のメインＣＰＵ１５ａからの命令により、駆動鉄芯３３ｃを移動させる。本体部３３ａを中心として楕円板状に形成されたベース部３３ｂにおいて本体部３３ａの両側部分には、それぞれ取付孔３３ｄが形成されており、ビス３５を、取付孔３３ｄを介して、ハンドルベース２６のソレノイド取付孔２６ｉにビス締めする。これにより、ソレノイド３３は、ハンドルベース２６に固定される。
【００２３】
図３、図７及び図８に示すように、リングホルダ２７は、略円盤状の本体部２７ａとこの本体部２７ａの底面の外側面に一体に形成された円筒状の軸部２７ｂとからなり、導電性の樹脂から構成される。本体部２７ａの外周部には、遊技者が回動する際の把手となる凸状の第１〜第３把手部２７ｃ〜２７ｅが形成されている。リングホルダ２７の内部には、第１，第２カバー取付ボス２６ｃ，２６ｄを挿通するための長孔状の第１挿通孔２７ｆ、第３カバー取付ボス２６ｅを挿通するための長孔状の第２挿通孔２７ｇ、第１調整ギア３１の係合ボス３１ｃを挿入するための係合孔２７ｈ、後述するねじりバネ３９の中心部３９ａに挿入するための円筒状のセンターボス２７ｉ、ねじりバネ３９の第２腕部３９ｃを係止するための断面が略コ字形状である凸状のバネ係止部２７ｊ、後述する接触検知リング４３を取り付けるためのリング取付孔２７ｋ、接触検知リング４３を取り付ける際に位置決めするための位置決めリブ２７ｌが形成されている。センターボス２７ｉは、リングホルダ２７を回動する際の回動中心となり、係合孔２７ｈは、センターボス２７ｉを中心に１８０°の間隔で２個形成されている。センターボス２７ｉの中心軸部には、後述する接触検知ワイヤ４２を挿通するための挿通孔２７ｍが形成されている。センターボス２７ｉには、センターボス２７ｉの中心軸部とリング取付孔２７ｋの中心軸部とを結ぶ線上の部分に接触検知ワイヤ４２を係止するための凹状のワイヤ係止凹部２７ｎが形成されている。第１挿通孔２７ｆ、第２挿通孔２７ｇはそれぞれ円弧状の長孔形状をしており、第１挿通孔２７ｆにハンドルベース２６の第１，第２カバー取付ボス２６ｃ，２６ｄを、第２挿通孔２７ｇに第３カバー取付ボス２６ｅをそれぞれ挿通すると、軸部２７ｂがハンドルベース２６の本体部２６ａの内部に挿入するとともに、本体部２７ａの裏面外周部が本体部２６ａの表面外周部に当接し、リングホルダ２７はハンドルベース２６に回動可能な状態で取り付けられる。
【００２４】
本体部２７ａの裏面には、ゴム製の弓形板状の固定板（固定部材）３７が取り付けられている。この固定板３７は、駆動鉄芯３３ｃの先端面と対向する位置に取り付けられており、後述するように駆動鉄芯３３ｃを移動すると、その移動した駆動鉄芯３３ｃが固定板３７に接触する。後述するように、ハンドルベース２６とリングホルダ２７とを係合した状態では、リングホルダ２７は、基準位置（図１０（Ａ）参照）から最大回動位置（図１０（Ｂ）参照）まで回動する。そのため、リングホルダ２７をその回動範囲内のどの位置に回動したときにも、固定板３７が駆動鉄芯３３ｃの先端面と対向する位置になるように固定板３７を取り付ける。なお、固定板３７は、ゴムに限定されることなく、摩擦係数の高い部材であれば適宜変更してもよい。
【００２５】
図９及び図１０に示すように、リングホルダ２７の係合孔２７ｈに、ハンドルベース２６に取り付けられた第１調整ギア３１の係合ボス３１ｃを挿入すると、第１挿通孔２７ｆに第１，第２カバー取付ボス２６ｃ，２６ｄが、第２挿通孔２７ｇに第３カバー取付ボス２６ｅがそれぞれ挿通され、ハンドルベース２６とリングホルダ２７とが位置決めされた状態で係合される。これにより、リングホルダ２７は、図１０（Ａ）に示す基準位置から図１０（Ｂ）に示す最大回動位置まで回動自在となるとともに、リングホルダ２７を回動すると、第１調整ギア３１、第２調整ギア３２を介して打出強さ調整用ボリューム３０の軸３０ｃが回動される状態となる。なお、リングホルダ２７を図１０中時計方向に回動させると、パチンコ球７の打ち出し強さが強くなり、図１０（Ｂ）に示す最大回動位置までリングホルダ２７を回動させた場合にパチンコ球７の打ち出し強さが最大となる。また、リングホルダ２７を図１０中反時計方向に回動させるとパチンコ球７の打ち出し強さが弱くなり、図１０（Ａ）に示す基準位置までリングホルダ２７を回動させた場合にパチンコ球７の打ち出しが停止する。なお、ハンドルベース２６には、パチンコ球７の打ち出しを停止させる発射停止ボタン（図示せず）が設けられており、この発射停止ボタンを押圧し続けると、リングホルダ２７の回動位置を維持したままパチンコ球７の打ち出しを停止させることができる。
【００２６】
図９に示すように、ねじりバネ（打出付勢部）３９は、コイル状に巻回された中心部３９ａと、この中心部３９ａから外側に直線上に延びる第１腕部３９ｂ及び第２腕部３９ｃとから構成されており、第１腕部３９ｂの先端部は略円弧状に曲げ加工されている。ねじりバネ３９の中心部３９ａにリングホルダ２７のセンターボス２７ｉを挿入し、曲げ加工された略円弧状の第１腕部３９ｂの先端部を介して、ビス４０をハンドルベース２６のバネ固定ボス２６ｆに形成されたバネ固定孔２６ｌにビス締めする。この状態では、第２腕部３９ｃは図１０中反時計方向に回転しようとする力が発生する。そこで、第２腕部３９ｃの先端部をリングホルダ２７の断面が略コ字形状である凸状のバネ係止部２７ｊの図１０中時計方向側の面に接触させる。これにより、第２腕部３９ｃは、その図１０中反時計方向に回転しようとする力により、バネ係止部２７ｊに係止された状態となる。また、第１腕部３９ｂを、回転防止凸部２６ｍの図１０中反時計方向側の面に接触させることにより、リングホルダ２７を図１０中時計方向に回動しても、第１腕部３９ｂが回動しないようにしている。このようにねじりバネ３９を取り付けたリングホルダ２７は、ねじりバネ３９によって図１０中反時計方向（基準位置へ戻る方向）に付勢される。
【００２７】
図７に示すように、接触検知ワイヤ４２は、一方が後述する主制御回路装置１５内の接触検知処理部５６に接続されており、他方の先端部には鉄から構成された接触検知リング４３が取り付けられている。接触検知リング４３には、リング孔４３ａが形成されている。図１０に示すように、接触検知リング４３を、第１調整ギア３１の挿通孔３１ａ、リングホルダ２７のセンターボス２７ｉの挿通孔２７ｍにそれぞれ挿通させ、接触検知ワイヤ４２をワイヤ係止凹部２７ｎに挿入し、ビス４４を接触検知リング４３のリング孔４３ａを介してリングホルダ２７のリング取付孔２７ｋにビス締めする。これにより、接触検知ワイヤ４２がリングホルダ２７に係止されるとともに、接触検知リング４３がリングホルダ２７に固定される。遊技者が手で導電性のリングホルダ２７に触れると、リングホルダ２７、接触検知リング４３、接触検知ワイヤ４２を介して接触検知処理部５６に通電されるため、この通電の有無によりリングホルダ２７に遊技者が触れたかどうかを検知することができる。なお、接触検知リング４３は、鉄に限定されることなく、導電性の部材であれば適宜変更してもよい。
【００２８】
図３及び図４に示すように、フェイスカバー２８は、中がくり抜かれた略半球形状をしており、その内部には、ハンドルベース２６の位置決め凹部２６ｊに挿入するための円柱状の第１〜第３ベース取付ボス２８ａ〜２８ｃが形成されている。第１〜第３ベース取付ボス２８ａ〜２８ｃの軸芯部には、ハンドルベース２６の第１〜第３カバー取付ボス２６ｃ〜２６ｅを取り付けるための取付穴２８ｄがそれぞれ形成されている。上述したようにハンドルベース２６とリングホルダ２７とを位置決めして係合した状態で、第１〜第３ベース取付ボス２８ａ〜２８ｃを、第１〜第３カバー取付ボス２６ｃ〜２６ｅそれぞれに形成された位置決め凹部２６ｊに挿入し、ハンドルベース２６とフェイスカバー２８との位置決めを行い、ビス４５を、第１カバー取付ボス２６ｃのカバー取付孔２６ｋ（図５参照）を介して、第１ベース取付ボス２８ａの取付穴２８ｄにビス締めする。同様にして、ビス４５を、第２カバー取付ボス２６ｄのカバー取付孔２６ｋを介して、第２ベース取付ボス２８ｂの取付穴２８ｄにビス締めし、ビス４５を、第３カバー取付ボス２６ｅのカバー取付孔２６ｋを介して、第３ベース取付ボス２８ｃの取付穴２８ｄにビス締めする。これにより、ハンドルベース２６とフェイスカバー２８とが、リングホルダ２７を回動自在に挟み込んだ状態で固定される。
【００２９】
図１、図１１及び図１２に示すように、下扉枠６の右側部に形成された揺動孔６ｂの内側には、円筒状の支持ベース４６が設けられている。支持ベース４６は、回動シャフト４７に回動自在に取り付けられている。支持ベース４６の略中央上部には、接触検知ワイヤ４２及び接触検知リング４３を挿通するための挿通孔４６ａが形成されている。支持ベース４６の後端部の左側面部には、回動シャフト４７を挿通するための左回動孔４６ｂが形成され、同様に右側面部には右回動孔４６ｃが形成されている。左回動孔４６ｂの中心と右回動孔４６ｃの中心とを結ぶ線が、支持ベース４６を回動する際の回動中心となる。回動シャフト４７を、左回動孔４６ｂと右回動孔４６ｃとに挿通し、回動シャフト４７を前面枠５の内部の所定部材に取り付ける。これにより、支持ベース４６は、回動シャフト４７を軸にして回動自在となる。支持ベース４６を揺動孔６ｂに挿通し、支持ベース４６をハンドルベース２６の軸部２６ｂに挿入して、図示しない取付部材により、ハンドルベース２６を支持ベース４６に取り付ける。これにより、操作ハンドル８は、回動シャフト４７を軸に、後述するロックスイッチ４８のプッシュボタン５０を押圧する押圧位置（図１３参照）と押圧状態を解除する解除位置（図１１参照）との間で揺動自在となる。操作ハンドル８は、通常は後述するコイルバネ（作動付勢部）４９により解除位置である上方に付勢されている。本実施形態では、支持ベース４６と回動シャフト４７とは、操作ハンドル８を変位可能に支持する支持部として機能し、この支持部は、作動付勢部としてのコイルバネ４９を備えた形態となる。
【００３０】
図１１に示すように、揺動孔６ｂの下側面には、ロックスイッチ（制御開始手段）４８が取り付けられており、このロックスイッチ４８は後述する主制御回路装置１５内のロック回路５７に接続されている（図１４参照）。揺動孔６ｂの下側面には、凹状のバネ挿入凹部６ｃが形成されており、バネ挿入凹部６ｃには、操作ハンドル８を上方（解除位置）に付勢するためのコイルバネ（作動付勢部）４９が挿入される。コイルバネ４９の上側先端部は、ハンドルベース２６の軸部２６ｂの下側面に接触してハンドルベース２６を解除位置である上方に付勢する。ハンドルベース２６を上方に付勢すると、ハンドルベース２６の軸部２６ｂの上側面が揺動孔６ｂの上側面に接触する。これにより、ハンドルベース２６がそれ以上回動しないようになっている。ロックスイッチ４８は、プッシュボタン５０、ガイドボタン５１、スイッチ板５２、スイッチ基板５３から構成される。プッシュボタン５０は、ガイドボタン５１によってガイドされ、上下方向（図中Ａ方向及びＢ方向）にスライド可能な状態で取り付けられている。図１３に示すように、操作ハンドル８をロック位置である下方に揺動して、支持ベース４６によりロックスイッチ４８のプッシュボタン５０を押圧（Ａ方向にスライド）すると、弾性変形する薄板金属からなるスイッチ板５２は変形され、スイッチ基板５３のパターン面５３ａに接触する。このパターン面５３ａには、電気回路のパターンが設けられており、図１１に示すように、通常は、断線されていて通電していない。スイッチ板５２をパターン面５３ａに接触させることにより、そのパターンは通電され、ロックオン信号がロック回路５７に発信される。
【００３１】
図１４に示すように、パチンコ機２の作動は基本的に主制御回路装置１５及び副制御回路装置１６によって管制される。
【００３２】
主制御回路装置１５は、メインＣＰＵ（ｃｅｎｔｒａｌ  ｐｒｏｃｅｓｓｉｎｇ  ｕｎｉｔ）１５ａ及びメインＲＯＭ（ｒｅａｄ  ｏｎｌｙ  ｍｅｍｏｒｙ）１５ｂ及びメインＲＡＭ（ｒａｎｄｏｍ  ａｃｃｅｓｓ  ｍｅｍｏｒｙ）１５ｃ、回動量演算部５４、発射回路５５、接触検知処理部５６、ロック回路５７から構成されている。メインＣＰＵ１５ａは、入賞球検知センサ１４から入力される入力信号に応じて、メインＲＯＭ１５ｂに記憶されている遊技制御プログラムを読み込んでパチンコ機の遊技状態を制御する命令を生成すると共に、副制御回路装置１６に命令情報を送信して所定の遊技状態となるように実行させる。メインＲＯＭ１５ｂには、遊技制御プログラムおよび乱数生成処理プログラムおよび乱数テーブルなどが所定の領域に格納されており、これらはメインＣＰＵ１５ａによって読み出され、演算処理されるように適宜用いられる。メインＲＡＭ１５ｃは、ワーキングエリアとなっており、遊技において利用されるデータなどの一時的保管や書き換えなどに用いられる。また、本実施形態では、メインＣＰＵ１５ａは、ソレノイド３３の駆動を制御する制御手段としても機能し、リングホルダ２７の回動を球発射装置１７に伝える回動伝達部（伝達部）３４は、メインＣＰＵ１５ａ、打出強さ調整用ボリューム３０、第１調整ギア３１、第２調整ギア３２、回動量演算部５４、発射回路５５から構成される。
【００３３】
副制御回路装置１６は、サブＣＰＵ１６ａ及びサブＲＯＭ１６ｂ及びサブＲＡＭ１６ｃから構成されている。サブＣＰＵ１６ａは、サブＲＯＭ１６ｂに格納された副制御装置用制御プログラムを適宜読み出し、主制御回路装置１５から命令情報として入力される制御信号に応じて、副制御用制御プログラムに従って副制御回路装置１６と、図柄可変表示装置９及び音声発生装置２１及びランプ２２との間で制御信号の入出力を行い所定の遊技状態となるようにするための駆動制御を行う。サブＲＡＭ１６ｃはワーキングエリアとなっており、図柄可変表示装置９及び音声発生装置２１及びランプ２２の制御において利用されるデータなどの一時的保管や書き換えなどに用いられる。なお、サブＣＰＵ１６ａにより駆動を制御する装置は、図柄可変表示装置９、音声発生装置２１及びランプ２２に限られず、遊技領域４ａに設けた可動式の入賞装置なども含まれることとする。
【００３４】
メインＣＰＵ１５ａは、入賞球検知センサ１４からの信号が入力されると、メインＲＯＭ１５ｂに記憶されている遊技制御プログラムに基づいて、球払出装置１８を駆動して所定個数の賞球を供給皿６ａ上に払い出す。なお、賞球の個数は、遊技球が入った各入賞口１０〜１２の種類に応じて適宜設定して良い。
【００３５】
上記のように構成されたパチンコ機の作用について説明する。遊技者は、操作ハンドル８のリングホルダ２７を回動して、球発射装置１７によりパチンコ球７を遊技領域４ａに打ち出す。リングホルダ２７を回動すると、第１調整ギア３１、第２調整ギア３２を介して打出強さ調整用ボリューム３０の軸３０ｃが回動される。打出強さ調整用ボリューム３０は、軸３０ｃの回動量に応じた回動量信号を回動量演算部５４に送る。回動量演算部５４は、送られてきた回動量信号に基づき、対応した電圧信号を発射回路５５に送る。遊技者が導電性のリングホルダ２７に触れると、リングホルダ２７、接触検知リング４３、接触検知ワイヤ４２を介して接触検知処理部５６に通電される。接触検知処理部５６は、この通電されたことに基づき、発射回路５５に発射許可信号を、ロック回路５７にロック許可信号を送る。発射回路５５は、回動量演算部５４から送られてきた電圧信号と接触検知処理部５６から送られてきた発射許可信号とに基づき、対応した駆動信号をメインＣＰＵ１５ａに送る。メインＣＰＵ１５ａは、送られてきた駆動信号に基づき、球発射装置１７を駆動して、リングホルダ２７の回動量に応じた打ち出し強さでパチンコ球７を遊技盤４面上に打ち出す動作制御を行う。
【００３６】
遊技盤４面上にパチンコ球７が打ち出されている状態のときに、図１３に示すように、遊技者が操作ハンドル８を下方に揺動してロックスイッチ４８のプッシュボタン５０を押圧すると、ロックオン信号がロック回路５７に送られる。ロック回路５７は、接触検知処理部５６から送られてきたロック許可信号とロックスイッチ４８から送られてきたロックオン信号とに基づき、ロック駆動信号をメインＣＰＵ１５ａに送る。メインＣＰＵ１５ａは、送られてきたロック駆動信号に基づき本体部３３ａを通電し、通電された本体部３３ａは、図１５（Ｂ）に示すように、駆動鉄芯３３ｃを図１５中Ｃ方向に移動する。移動した駆動鉄芯３３ｃは、リングホルダ２７に取り付けられた固定板３７に接触する。固定板３７は、摩擦係数の高いゴム製であり、駆動鉄芯３３ｃが接触した際に生じる接触抵抗は、リングホルダ２７を基準位置へと戻す方向へ付勢するねじりバネ３９の付勢力よりも大きくなる。これにより、リングホルダ２７を回動不能に固定する。なお、遊技者が操作ハンドル８の揺動を解除すると、コイルバネ４９により操作ハンドル８が上方（解除位置）に付勢されて、ロックスイッチ４８のプッシュボタン５０の押圧が解除される。プッシュボタン５０の押圧が解除されると、メインＣＰＵ１５ａは、本体部３３ａへの通電を止め、通電が止められた本体部３３ａは駆動鉄芯３３ａを図１５中Ｄ方向に移動する。これにより、駆動鉄芯３３ａの固定板３７との接触を解除し、リングホルダ２７の固定を解除する。
【００３７】
このように、遊技者が遊技中に操作ハンドル８を揺動してロックスイッチ４８のプッシュボタン５０を押圧すると、移動した駆動鉄芯３３ｃがリングホルダ２７に取り付けられた摩擦係数の高いゴム製の固定板３７に接触し、その接触抵抗によりリングホルダ２７を回動不能に固定するから、リングホルダ２７を基準位置へと戻す方向へ付勢するねじりバネ３９の付勢に抗してリングホルダ２７の位置を維持する力を要せずに、操作ハンドル８を回動してロックスイッチ４８を押圧するだけでリングホルダ２７の位置を維持することができるため、遊技者の手にかかる負担を軽減することができる。
【００３８】
図１６に他の実施形態を示す。上記実施形態のものと同様の構成部材には同一の符号を付し、その詳細な説明を簡略化する。この実施形態では、図１６（Ａ）に示すように、リングホルダ２７の本体部２７ａの裏面には、強磁性体である鉄製の弓形板状の固定プレート（磁性部材）５９がソレノイド３３の駆動鉄芯３３ｃの先端面と対向する位置に取り付けられている。固定プレート５９は、リングホルダ２７を回動範囲内のどの位置に回動したときにも、駆動鉄芯３３ｃの先端面と対向する位置になるように取り付けられる。遊技者が操作ハンドル８を揺動してロックスイッチ４８のプッシュボタン５０を押圧すると、ロックオン信号がロック回路５７に送られる。ロック回路５７は、接触検知処理部５６から送られてきたロック許可信号とロックスイッチ４８から送られてきたロックオン信号とに基づき、ロック駆動信号をメインＣＰＵ１５ａに送る。メインＣＰＵ１５ａは、送られてきたロック駆動信号に基づき、図１６（Ｂ）に示すように、磁気部としての駆動鉄芯３３ｃを磁気化する。磁気化した駆動鉄芯３３ｃは、磁気により固定プレート５９を保持する。これにより、リングホルダ２７を回動不能に固定する。なお、遊技者が操作ハンドル８の揺動を解除すると、コイルバネ４９により操作ハンドル８が上方（解除位置）に付勢されて、ロックスイッチ４８のプッシュボタン５０の押圧を解除する。プッシュボタン５０の押圧を解除すると、メインＣＰＵ１５ａは、駆動鉄芯３３ｃを非磁気化する。これにより、駆動鉄芯３３ａによる固定プレート５９の保持を解除し、リングホルダ２７の固定を解除する。また、固定プレート５９は、鉄に限定されることなく、磁性体の部材であれば適宜変更してもよく、好ましくは強磁性体の部材を用いる。
【００３９】
このように、リングホルダ２７の本体部２７ａの裏面に、固定プレート５９を取り付け、駆動鉄芯３３ｃを磁気化して、磁気化した駆動鉄芯３３ｃの磁気により固定プレート５９を保持することにより、リングホルダ２７を回動不能に固定することができるため、容易にリングホルダ２７を固定することができる。
【００４０】
図１７に他の実施形態を示す。図１〜図１５に示す実施形態のものと同様の構成部材には同一の符号を付し、その詳細な説明を簡略化する。この実施形態では、図１７（Ａ）に示すように、リングホルダ２７には、略Ｔ字形状の固定軸６０が、その回動中心がリングホルダ２７の回動中心と同一となるように取り付けられている。固定軸６０は、回動中心となる円柱状の軸本体６０ａと、円柱状のベース部６０ｂとから構成され、軸本体６０ａは挿通孔２７ｍの径よりも小さく、ベース部６０ｂはリングホルダ２７の挿通孔２７ｍよりも径が大きくなっており、このベース部６０ｂにより挿通孔２７ｍに軸本体６０ａを挿通した後に抜けなくしている。そして、図示しない取付部材により、ベース部６０ｂをリングホルダ２７のセンターボス２７ｉに取り付ける。ハンドルベース２６内には、電磁ブレーキ（位置固定部）６１が配設されており、この電磁ブレーキ６１には、固定軸６０の軸本体６０ａが回動可能に挿通されている。電磁ブレーキ６１は、本体部６１ａ、強磁性体である鉄製の加圧板（加圧部材）６１ｂ、コイルバネ６１ｃ、磁気コイル（加圧駆動部）６１ｄからなり、磁気コイル６１ｄは、メインＣＰＵ１５ａに接続されている。加圧板６１ｂは、本体部６１ａに移動可能に設けられ、コイルバネ６１ｃにより軸本体６０ａを加圧する方向に付勢されている。
【００４１】
磁気コイル６１ｄは、通常時には通電され磁気化されており、図１７（Ａ）に示すように、磁気により、コイルバネ６１ｃの付勢に抗して加圧板６１ｂを軸本体６０ａを加圧しない位置に保持している。遊技者が操作ハンドル８を揺動してロックスイッチ４８のプッシュボタン５０を押圧すると、ロックオン信号がロック回路５７に送られる。ロック回路５７は、接触検知処理部５６から送られてきたロック許可信号とロックスイッチ４８から送られてきたロックオン信号とに基づき、ロック駆動信号をメインＣＰＵ１５ａに送る。メインＣＰＵ１５ａは、送られてきたロック駆動信号に基づき磁気コイル６１ｄへの通電を解除する。磁気コイル６１ｄへの通電を解除し、磁気コイル６１を非磁気化すると、図１７（Ｂ）に示すように、コイルバネ６１ｃにより、加圧板６１ｂは軸本体６０ａを加圧する方向に移動する。移動した加圧板６１ｂは、軸本体６０ａに接触してこれを加圧する。コイルバネ６１ｃは、加圧板６１ｂにより加圧された軸本体６０ａに生じる加圧板６１ｂとの接触抵抗が、リングホルダ２７を基準位置へと戻す方向へ付勢するねじりバネ３９の付勢力よりも大きくなるように、バネ荷重が調整されており、加圧板６１ｂは軸本体６０ａの回動を阻止する。これにより、リングホルダ２７を回動不能に固定する。なお、遊技者が操作ハンドル８の揺動を解除すると、コイルバネ４９により操作ハンドル８が上方（解除位置）に付勢されて、ロックスイッチ４８のプッシュボタン５０の押圧を解除する。プッシュボタン５０の押圧を解除すると、メインＣＰＵ１５ａは、磁気コイル６１ｄへ通電して磁気コイル６１ｄを磁気化して、加圧板６１ｂを軸本体６０ａに加圧しない位置に保持する。これにより、加圧板６１ｂによる軸本体６０ａへの加圧を解除し、リングホルダ２７の固定を解除する。また、固定軸６０をリングホルダ２７に取り付ける代わりに、リングホルダ２７の回動中心に円柱状の軸を設けてもよい。
【００４２】
このように、リングホルダ２７に固定軸６０を取り付け、磁気コイル６１ｄへの通電を解除して、コイルバネ６１ｃにより、加圧板６１ｂを軸本体６０ａを加圧する方向に移動して軸本体６０ａを加圧して、軸本体６０ａの回動を阻止することにより、リングホルダ２７を回動不能に固定することができるため、リングホルダ２７とは離れた位置でリングホルダ２７の固定作業を行うことができ、リングホルダ２７とハンドルベース２６との間にスペースがない場合にも対応することができる。
【００４３】
図１８に他の実施形態を示す。図１〜図１５に示す実施形態のものと同様の構成部材には同一の符号を付し、その詳細な説明を簡略化する。この実施形態では、図１８（Ａ）に示すように、打出強さ調整用ボリューム３０は、第１調整ギア３１の軸に対して垂直な方向で第１調整ギア３１の軸と第２調整ギア３２の軸とを結ぶ線上の方向（図中Ｅ方向及びＦ方向）に移動可能に設けられ、メインＣＰＵ１５ａに接続されている。これにより、この実施形態では、打出強さ調整用ボリューム３０は移動押付部としても機能する。遊技者が操作ハンドル８を揺動してロックスイッチ４８のプッシュボタン５０を押圧すると、ロックオン信号がロック回路５７に送られる。ロック回路５７は、接触検知処理部５６から送られてきたロック許可信号とロックスイッチ４８から送られてきたロックオン信号とに基づき、ロック駆動信号をメインＣＰＵ１５ａに送る。メインＣＰＵ１５ａは、送られてきたロック駆動信号に基づき、図１８（Ｂ）に示すように、第２調整ギア３２の歯を第１調整ギア３１の歯に押し付ける方向（図中Ｅ方向）に打出強さ調整用ボリューム３０を移動して、第２調整ギア３２の歯を第１調整ギア３１の歯に押し付けて第１調整ギア３１を回動不能にする。これにより、リングホルダ２７を回動不能に固定する。なお、遊技者が操作ハンドル８の揺動を解除すると、コイルバネ４９により操作ハンドル８が上方（解除位置）に付勢されて、ロックスイッチ４８のプッシュボタン５０の押圧を解除する。プッシュボタン５０の押圧を解除すると、メインＣＰＵ１５ａは、第２調整ギア３２の歯を第１調整ギア３１の歯に押し付ける方向とは逆方向（図中Ｆ方向）に打出強さ調整用ボリューム３０を移動して、第１調整ギア３１を回動可能にする。これにより、リングホルダ２７の固定を解除する。
【００４４】
このように、打出強さ調整用ボリューム３０を、第１調整ギア３１の軸に対して垂直な方向で第１調整ギア３１の軸と第２調整ギア３２の軸とを結ぶ線上の方向に移動可能に設け、第２調整ギア３２の歯を第１調整ギア３１の歯に押し付ける方向に打出強さ調整用ボリューム３０を移動して、第２調整ギア３２の歯を第１調整ギア３１の歯に押し付けて、第１調整ギア３１を回動不能にすることにより、リングホルダ２７を回動不能に固定することができるため、リングホルダ２７の回動を球発射装置１７に伝える回動伝達部３４の打出強さ調整用ボリューム３０、第１調整ギア３１及び第２調整ギア３２を、リングホルダ２７を固定する際に利用することでき、部品数の低減及び製造コストの低減を図ることができる。
【図面の簡単な説明】
【００４５】
【図１】本発明を実施したパチンコ機の外観を示す斜視図である。
【図２】図１に示したパチンコ機の背面側からの外観を示す斜視図である。
【図３】操作ハンドルを示す断面図である。
【図４】操作ハンドルを示す分解斜視図である。
【図５】ハンドルベースと打出強さ調整用ボリュームと第１調整ギアと第２調整ギアとソレノイドとを示す分解斜視図である。
【図６】ハンドルベースと打出強さ調整用ボリュームと第１調整ギアと第２調整ギアとソレノイドとを示す正面図である。
【図７】リングホルダと固定板とロックスイッチとねじりバネと接触検知ワイヤと接触検知リングとを示す分解斜視図である。
【図８】リングホルダと固定板とを示す正面図である。
【図９】ハンドルベースにリングホルダを係合した状態を示す分解斜視図である。
【図１０】ハンドルベースにリングホルダを係合した状態を示す正面図である。
【図１１】下扉枠と操作ハンドルと支持ベースとロックスイッチとコイルバネとを示す断面図である。
【図１２】操作ハンドルと支持ベースと回動シャフトとを示す分解斜視図である。
【図１３】操作ハンドルを押圧位置に揺動した際の下扉枠と操作ハンドルと支持ベースとロックスイッチとコイルバネとを示す断面図である。
【図１４】図１に示したパチンコ機内部の電気的構成を示す機能ブロック図である。
【図１５】ソレノイドを駆動する前と駆動した後の状態を示す断面図である。
【図１６】リングホルダに固定プレートを取り付けた実施形態を示す操作ハンドルの断面図である。
【図１７】リングホルダに固定軸を取り付けて、電磁ブレーキを設けた実施形態を示す操作ハンドルの断面図である。
【図１８】打出強さ調整用ボリュームを移動可能に設けた実施形態を示すハンドルベース内部の正面図である。
【符号の説明】
【００４６】
２  パチンコ機
３  本体枠
４  遊技盤
５  前面枠
６  下扉枠
６ｂ  揺動孔
７  パチンコ球（遊技媒体）
８  操作ハンドル（発射作動装置）
１５  主制御回路装置
１５ａ  メインＣＰＵ（制御手段）
１５ｂ  メインＲＯＭ
１７  球発射装置（発射装置）
２６  ハンドルベース
２７  リングホルダ（打出調整部）
２８  フェイスカバー
３０  打出強さ調整用ボリューム
３１  第１調整ギア（第１ギア）
３２  第２調整ギア（第２ギア）
３３  ソレノイド（位置固定部）
３３ａ  本体部（移動駆動部）
３３ｂ  ベース部
３３ｃ  駆動鉄芯（移動部材）
３４  回動伝達部（伝達部）
３７  固定板( 固定部材) 
３９  ねじりバネ（打出付勢部）
４２  接触検知ワイヤ
４３  接触検知リング
４６  支持ベース
４７  回動シャフト
４８  ロックスイッチ（制御開始操作手段）
４９  コイルバネ（作動付勢部）
５４  回動量演算部
５５  発射回路
５６  接触検知処理部
５７  ロック回路
５９  固定プレート（磁性部材）
６０  固定軸
６１  電磁ブレーキ（位置固定部）
６１ａ  本体部
６１ｂ  加圧板（加圧部材）
６１ｃ  コイルバネ
６１ｄ  磁気コイル（加圧駆動部）
【図１】
2005125005.tif 000003
【図２】
2005125005.tif 000004
【図３】
2005125005.tif 000005
【図４】
2005125005.tif 000006
【図５】
2005125005.tif 000007
【図６】
2005125005.tif 000008
【図７】
2005125005.tif 000009
【図８】
2005125005.tif 000010
【図９】
2005125005.tif 000011
【図１０】
2005125005.tif 000012
【図１１】
2005125005.tif 000013
【図１２】
2005125005.tif 000014
【図１３】
2005125005.tif 000015
【図１４】
2005125005.tif 000016
【図１５】
2005125005.tif 000017
【図１６】
2005125005.tif 000018
【図１７】
2005125005.tif 000019
【図１８】
2005125005.tif 000020